(57)【特許請求の範囲】
【請求項１】
１つのシンボル期間が有効シンボル区間とガードインターバル区間とからなるＯＦＤＭ変調された信号を受信する複数のアンテナを備えたダイバーシティ受信機であって、
複数のアンテナからの受信信号をそれぞれ減衰させる可変減衰手段と、
可変減衰手段からの出力を合成し、合成出力を復調して出力する復調手段と、
復調手段にて得たベースバンド信号のガードインターバル区間に対応した期間に可変減衰手段の減衰量を変更する減衰量制御手段と、
可変減衰手段の減衰量を最大値から最小値にまで急変させたとき、または最小値から最大値にまで急変させたとき、相関出力を受けて受信ＯＦＤＭ変調波の周波数と送信ＯＦＤＭ変調波の周波数とのずれを補正するための自動周波数補正信号を予め定めた期間、減衰量の急変直前の値に保持する自動周波数制御手段と、を備えたことを特徴とするダイバーシティ受信機。
【請求項２】
１つのシンボル期間が有効シンボル区間とガードインターバル区間とからなるＯＦＤＭ変調された信号を受信する複数のアンテナを備えたダイバーシティ受信機であって、
複数のアンテナからの受信信号をそれぞれ減衰させる可変減衰手段と、
可変減衰手段からの出力を合成し、合成出力を復調して出力する復調手段と、
復調手段にて得たベースバンド信号のガードインターバル区間に対応した期間の相関を検出する相関検出手段と、
ガードインターバル区間に対応した期間における相関出力のピークレベルが増加したか否かに基づいて、ガードインターバル区間に対応する期間に可変減衰手段の減衰量を変更する減衰量制御手段と、
可変減衰手段の減衰量を最大値から最小値にまで急変させたとき、または最小値から最大値にまで急変させたとき、相関出力を受けて受信ＯＦＤＭ変調波の周波数と送信ＯＦＤＭ変調波の周波数とのずれを補正するための自動周波数補正信号を予め定めた期間、減衰量の急変直前の値に保持する自動周波数制御手段と、を備えたことを特徴とするダイバーシティ受信機。
【請求項３】
１つのシンボル期間が有効シンボル区間とガードインターバル区間とからなるＯＦＤＭ変調された信号を受信する複数のアンテナを備えたダイバーシティ受信機であって、
複数のアンテナからの受信信号をそれぞれ減衰させる可変減衰手段と、
可変減衰手段からの出力を合成し、合成出力を復調して出力する復調手段と、
復調手段にて得たベースバンド信号のガードインターバル区間に対応した期間の相関を検出する相関検出手段と、
復調手段にて得たベースバンド信号のガードインターバル区間に対応した期間の電力を検出する電力検出手段と、
ガードインターバル区間に対応した期間における電力出力のピークレベルが増加したか否かに基づいて、ガードインターバル区間に対応する期間に可変減衰手段の減衰量を変更する減衰量制御手段と、
可変減衰手段の減衰量を最大値から最小値にまで急変させたとき、または最小値から最大値にまで急変させたとき、相関出力を受けて受信ＯＦＤＭ変調波の周波数と送信ＯＦＤＭ変調波の周波数とのずれを補正するための自動周波数補正信号を予め定めた期間、減衰量の急変直前の値に保持する自動周波数制御手段と、を備えたことを特徴とするダイバーシティ受信機。
【請求項４】
請求項１、２、または３の何れか１項に記載のダイバーシティ受信機において、自動周波数制御手段は相関出力を入力とする積分フィルタであることを特徴とするダイバーシティ受信機。
【請求項５】
請求項１、２、または３の何れか１項に記載のダイバーシティ受信機において、自動周波数補正出力を減衰量の急変直前の値に保持する期間は、減衰量を急変させたときから少なくとも１シンボル期間であることを特徴とするダイバーシティ受信機。
【発明の詳細な説明】
【０００１】
【発明の属する技術分野】
本発明は直交周波数分割多重方式により変調（ＯＦＤＭ変調）された放送信号を受信するダイバーシティ受信機に関する。
【０００２】
【従来の技術】
ＯＦＤＭ変調された放送信号の１ＯＦＤＭ伝送シンボル期間は、有効シンボル区間とガードインターバル区間とからなる。有効シンボル区間はデータ伝送のために必要な信号期間である。ガードインターバルはマルチパスなどのシンボル間干渉を防ぐためのものであり、有効シンボル区間の最後の所定期間長部分を有効シンボル区間の先頭に巡回的に複写されたものである。
【０００３】
デジタル地上波テレビジョン放送信号など、ＯＦＤＭ変調された放送信号を受信するダイバーシティ受信機が知られている。従来のこの種のダイバーシティ受信機は、この出願人により提案されているものがある（特願２０００−３８０００５）。
【０００４】
このダイバーシティ受信機は、複数のアンテナによる受信信号をそれぞれ可変減衰器で減衰し、減衰出力を合成し、合成出力をベースバンド信号に復調するダイバーシティ受信機において、受信信号レベルを検出し、検出受信号レベルに基づきガードインターバル区間に対応した期間に可変減衰器中における１つの可変減衰器の減衰量を切り替え、減衰量の切り替えによって受信信号レベルが上昇したときは、以降、ガードインターバル区間に対応した期間に合わせたタイミングにて、前記１つの可変減衰器の減衰量を階段的に変化させるものである。
【０００５】
【発明が解決しようとする課題】
しかし、上記したように可変減衰器の減衰量を制御しても、受信信号レベルにはノイズ成分も含まれているために、受信信号レベルが低くＣ／Ｎが悪い受信条件においては、ＯＦＤＭ変調信号の受信信号レベルが低く、低雑音増幅器の出力が殆どノイズ成分だけのアンテナがあった場合は、その系の可変減衰器の減衰量を０にして他のアンテナからの信号を低雑音増幅器にて増幅した信号と合成すると、ノイズ成分の電力が加算されることになって、受信信号レベルが増加し、ダイバーシティ制御回路で受信条件が良好と判別されるが、実際はＣ／Ｎが悪くなってしまうという問題点があった。
【０００６】
また一方、可変減衰器の減衰量を制御したことによって、検波出力であるベースバンド信号の周波数補正が、ある期間の間、正しく行えないという問題もあった。
【０００７】
本発明は、アンテナの実質的な選択の信頼性を向上させて、安定したダイバーシティ受信機を提供することを目的とする。
【０００８】
【課題を解決するための手段】
本発明のダイバーシティ受信機は、１つのシンボル期間が有効シンボル区間とガードインターバル区間とからなるＯＦＤＭ変調された信号を受信する複数のアンテナを備えたダイバーシティ受信機であって、
複数のアンテナからの受信信号をそれぞれ減衰させる可変減衰手段と、
可変減衰手段からの出力を合成し、合成出力を復調して出力する復調手段と、
復調手段にて得たベースバンド信号のガードインターバル区間に対応した期間に可変減衰手段の減衰量を変更する減衰量制御手段と、
可変減衰手段の減衰量を最大値から最小値にまで急変させたとき、または最小値から最大値にまで急変させたとき、相関出力を受けて受信ＯＦＤＭ変調波の周波数と送信ＯＦＤＭ変調波の周波数とのずれを補正するための自動周波数補正信号を予め定めた期間、減衰量の急変直前の値に保持する自動周波数制御手段と、を備えたことを特徴とする。
【０００９】
本発明のダイバーシティ受信機は、１つのシンボル期間が有効シンボル区間とガードインターバル区間とからなるＯＦＤＭ変調された信号を受信する複数のアンテナを備えたダイバーシティ受信機であって、
複数のアンテナからの受信信号をそれぞれ減衰させる可変減衰手段と、
可変減衰手段からの出力を合成し、合成出力を復調して出力する復調手段と、
復調手段にて得たベースバンド信号のガードインターバル区間に対応した期間の相関を検出する相関検出手段と、
ガードインターバル区間に対応した期間における相関出力のピークレベルが増加したか否かに基づいて、ガードインターバル区間に対応する期間に可変減衰手段の減衰量を変更する減衰量制御手段と、
可変減衰手段の減衰量を最大値から最小値にまで急変させたとき、または最小値から最大値にまで急変させたとき、相関出力を受けて受信ＯＦＤＭ変調波の周波数と送信ＯＦＤＭ変調波の周波数とのずれを補正するための自動周波数補正信号を予め定めた期間、減衰量の急変直前の値に保持する自動周波数制御手段と、を備えたことを特徴とする。
【００１０】
本発明のダイバーシティ受信機は、１つのシンボル期間が有効シンボル区間とガードインターバル区間とからなるＯＦＤＭ変調された信号を受信する複数のアンテナを備えたダイバーシティ受信機であって、
複数のアンテナからの受信信号をそれぞれ減衰させる可変減衰手段と、
可変減衰手段からの出力を合成し、合成出力を復調して出力する復調手段と、
復調手段にて得たベースバンド信号のガードインターバル区間に対応した期間の相関を検出する相関検出手段と、
復調手段にて得たベースバンド信号のガードインターバル区間に対応した期間の電力を検出する電力検出手段と、
ガードインターバル区間に対応した期間における電力出力のピークレベルが増加したか否かに基づいて、ガードインターバル区間に対応する期間に可変減衰手段の減衰量を変更する減衰量制御手段と、
可変減衰手段の減衰量を最大値から最小値にまで急変させたとき、または最小値から最大値にまで急変させたとき、相関出力を受けて受信ＯＦＤＭ変調波の周波数と送信ＯＦＤＭ変調波の周波数とのずれを補正するための自動周波数補正信号を予め定めた期間、減衰量の急変直前の値に保持する自動周波数制御手段と、を備えたことを特徴とする。
【００１１】
本発明のダイバーシティ受信機によれば、自動周波数補正信号を予め定めた期間、減衰量の急変直前の値に保持するようにしたため、自動周波数制御に対して悪影響を与えることなしに、安定したダイバーシティ制御が行える。
【００１２】
【発明の実施の形態】
以下、本発明にかかるダイバーシティ受信機を実施の一形態によって説明する。
【００１３】
本発明の実施の一形態にかかるダイバーシティ受信機Ａは図１に示すように構成される。
【００１４】
ダイバーシティ受信機Ａでは、アンテナ１、２、３、４で受信したＲＦ信号はそれぞれ低雑音増幅器５、６、７、８にて増幅のうえ、それぞれ可変減衰器９、１０、１１、１２にて減衰のうえ混合器１３に入力して合成し、混合器１３の出力をチューナ１４に供給する。
【００１５】
混合器１３から出力される合成出力を受けたチューナ１４では、合成出力を増幅、周波数変換、さらに帯域制限を行って中間周波信号に変換する。チューナ１４からの出力される中間周波信号はＡＤ変換器１５に供給してデジタル信号に変換し、変換されたデジタル信号は直交検波器１６に供給して直交検波することで、ベースバンドＩ、Ｑ信号に変換する。
【００１６】
直交検波器１６から出力されるベースバンドＩ、Ｑ信号は有効シンボル抽出回路１７に供給し、タイミング再生回路２１から出力される有効シンボル区間を示すタイミング信号（ＦＦＴ−ＷＩＮＤＯＷ）に基づき、有効シンボル抽出回路１７において有効シンボルに対応した期間の信号のみをベースバンドＩ、Ｑ信号から取り込み、有効シンボル区間に対応した期間の信号をＦＦＴ回路１８に供給し、ＦＦＴ回路１８にてＦＦＴ処理を行ってＯＦＤＭ変調信号の復調を行いキャリア毎の情報に分離し、デマッパ回路１９に供給してデマッピングすることによって復調データとして送出する。
【００１７】
一方、直交検波器１６から出力されたベースバンドＩ、Ｑ信号はガード相関器２０に供給し、ガード相関器２０の入力ベースバンドＩ、Ｑ信号と該ベースバンドＩ、Ｑ信号を有効シンボル区間の時間幅遅延させた遅延ベースバンドＩ、Ｑ信号との積をガードインターバル期間の時間幅にわたって積分し、該積分をＡ／Ｄ変換器１５におけるＡ／Ｄ変換のためのサンプル周期ずつ順次ずらせて行うことによって相関出力を求め、相関出力をタイミング再生回路２１に供給して相関出力のピーク位置からＯＦＤＭシンボルのタイミングを求め、タイミング信号（ＦＦＴ−ＷＩＮＤＯＷ）を有効シンボル抽出回路１７へ送出する。
【００１８】
また、ガード相関器２０から出力される相関出力ＣＯＲＲとタイミング信号（ＦＦＴ−ＷＩＮＤＯＷ）はダイバーシティ制御回路２２に供給し、相関出力ＣＯＲＲとタイミング信号（ＦＦＴ−ＷＩＮＤＯＷ）とに基づきダイバーシティ制御回路２２から可変減衰器９、１０、１１、１２の減衰量を制御する減衰量制御信号ＣＯＮＴ１、ＣＯＮＴ２、ＣＯＮＴ３、ＣＯＮＴ４をそれぞれ可変減衰器９、１０、１１、１２へ送出して、混合器１３の出力レベル、すなわち合成された受信信号レベルが高くなるように可変減衰器９、１０、１１、１２の減衰量を制御する。
【００１９】
このようにして、１以上の可変減衰器の減衰量を０に維持した状態で、可変減衰器９、１０、１１、１２の減衰量を順次制御して、チューナ１４に入力される信号レベルを最大に保つように制御する。
【００２０】
相関出力ＣＯＲＲは積分フィルタ動作をする自動周波数制御回路（ＡＦＣ回路）２４へも供給して、相関出力ＣＯＲＲを積分フィルタによりフィルタリングして、相関出力ＣＯＲＲに基づくＡＦＣ回路２４からの出力を発振周波数制御信号として直交検波器１６の数値制御発振器に供給し、受信ＯＦＤＭ変調波の周波数と送信ＯＦＤＭ変調波の周波数とのずれを補正する。
【００２１】
ここで、ＡＦＣ回路２４は、ガード相関器２０から出力される相関出力のピークの位相が受信ＯＦＤＭ変調波の周波数と送信ＯＦＤＭ変調波の周波数とのずれに対応していることを利用するものである。
【００２２】
ＡＦＣ回路２４はループゲインを定める増幅器２６と、増幅器２６の出力と相関出力ＣＯＲＲとを加算する加算器２５と、加算出力を選択的にオンオフするスイッチ手段２９と、スイッチ手段２９の出力を１シンボル期間遅延させ遅延出力を増幅器２６へ出力する遅延器２７と、遅延器２７の入力端と出力端を選択的にオンオフするスイッチ手段３０とからなる積分フィルタで構成し、遅延器２７の入力を発振周波数制御信号として直交検波器１６へ送出する。
【００２３】
スイッチ手段２９はダイバーシティ制御回路２２から可変減衰器の減衰量を最小または最大に急変させる制御信号の出力時から２シンボル期間の間、スイッチ手段２９をオフ状態に制御すると共にスイッチ手段３０をオン状態に制御して、前記２シンボル期間積分フィルタからの出力をホールドさせる。
【００２４】
まず、ダイバーシティ制御回路２２の動作を、減衰量制御信号ＣＯＮＴ１を例に図２、図３、図４、図５に示すタイミング図によって説明する。
【００２５】
ダイバーシティ受信機Ａでは、タイミング信号（ＦＦＴ−ＷＩＮＤＯＷ）は高電位のとき有効シンボル区間に対応する期間を示し、低電位のときガードインターバル区間に対応する期間を示している。減衰量制御信号ＣＯＮＴ１は可変減衰器９の減衰量を制御する信号であり、減衰量制御信号ＣＯＮＴ１のレベルが最大の場合に減衰量が０に制御され、減衰量制御信号ＣＯＮＴ１のレベルが最小の場合に減衰量が最大になる。減衰量制御信号ＣＯＮＴ２、３、４の場合も減衰量制御信号ＣＯＮＴ１の場合と同様である。
【００２６】
ここで、ダイバーシティ制御回路２２は受信条件が良くなるか否かの判断に、相関出力ＣＯＲＲを用いる。ダイバーシティ制御回路２２ではタイミング信号（ＦＦＴ−ＷＩＮＤＯＷ）が低電位の期間に、すなわちガードインターバルの区間に対応した期間に可変減衰器９、１０、１１、１２の減衰量を変化させる。
【００２７】
図２では、混合器１３の入力がなくならないようにするために、可変減衰器１０、１１、１２の中で、少なくとも１つ以上の減衰量を０とし、初期状態として、減衰量制御信号ＣＯＮＴ１のレベルが最小、すなわち可変減衰器９の減衰量が最大となっている。ここで、アンテナ１で受信している信号を評価するために、タイミング信号（ＦＦＴ−ＷＩＮＤＯＷ）が低電位になる区間（図２（ａ）参照）で減衰量制御信号ＣＯＮＴ１のレベルを最大にし（図２（ｂ）参照）、可変減衰器９の減衰量を０にする。
【００２８】
これによって、アンテナ１で受信した信号も混合器１３による合成のうえチューナ１４に入力され、このときにおいて、図２では、相関出力ＣＯＲＲのピークレベルが以前の相関出力ＣＯＲＲのピークレベルよりも上がった場合を示している（図２（ｃ）参照）。この場合では、アンテナ１で受信している信号を含めて混合器１３で合成すれば混合器１３の出力のレベルは増大し、受信条件が良くなると判定されるが、復調される信号の急激な変化を避けるために、続いてタイミング信号（ＦＦＴ−ＷＩＮＤＯＷ）が高電位になるタイミングで一旦減衰量制御信号ＣＯＮＴ１のレベルを最小に戻し、図２において矢印で示すように、それ以降、タイミング信号（ＦＦＴ−ＷＩＮＤＯＷ）が低電位の区間で減衰量制御信号ＣＯＮＴ１のレベルを、最大になるまで階段的に順次増大させる。
【００２９】
図３の場合では、受信機の初期状態は図２の場合と同様であるが、タイミング信号（ＦＦＴ−ＷＩＮＤＯＷ）が低電位になる区間（図３（ａ）参照）で、減衰量制御信号ＣＯＮＴ１のレベルを最大にし（図３（ｂ）参照）、可変減衰器１３の減衰量を０にしたことにより相関出力ＣＯＲＲのレベルが下がった場合を示している（図３（ｃ）参照）。
【００３０】
この場合では、アンテナ１で受信している信号を混合器１３において合成したことによって混合器１３の出力信号のレベルが低下し、相関出力ＣＯＲＲのピークレベルが低下したと考えられて、受信条件が悪くなったと判定されるので、続いてタイミング信号（ＦＦＴ−ＷＩＮＤＯＷ）が高電位になるタイミングで減衰量制御信号ＣＯＮＴ１のレベルを最小に戻す（図３（ｂ）参照）。
【００３１】
上記図２に示した場合のように、可変減衰器９の減衰量が最大となっている状態におけるガードインターバル区間に対応した期間において可変減衰器９の減衰量を０にしたとき、次のガードインターバル区間に対応した期間における相関出力ＣＯＲＲのピークレベルがその前のガードインターバル区間に対応した期間における相関出力のピークレベルよりも増加しているときは、前記次のガードインターバル区間に対応した期間に続くガードインターバル区間に対応した期間に可変減衰器９の減衰量を最大にし、すなわち元に復元し、続くガードインターバル区間に対応した期間において順次可変減衰器９の減衰量を０にまで階段的に減少させていく。これによって安定して受信可能な減衰量に設定することができることになる。
【００３２】
また、上記図３に示した場合のように、可変減衰器９の減衰量が最大となっている状態におけるガードインターバル区間に対応した期間において可変減衰器９の減衰量を０にしたとき、次のガードインターバル期間に相関出力ＣＯＲＲのピークレベルがその前のガードインターバル区間に対応した期間における相関出力のピークレベルよりも減少しているときは、可変減衰器９の減衰量を０にしたときに続くガードインターバル区間に対応した期間から可変減衰器９の減衰量を最大にする、すなわち元に復元する。これによって安定して受信可能な減衰量に設定することができることになる。
【００３３】
図４の場合でも可変減衰器１０、１１、１２の中で、少なくとも１つ以上は減衰量が０となっており、初期状態では減衰量制御信号ＣＯＮＴ１のレベルが最大、すなわち可変減衰器９の減衰量が０となっている。ここで、アンテナ１で受信している信号を評価するために、タイミング信号（ＦＦＴ−ＷＩＮＤＯＷ）が低電位になる区間（図４（ａ）参照）で減衰量制御信号ＣＯＮＴ１のレベルを最小にし（図４（ｂ）参照）、可変減衰器９の減衰量を最大にする。
【００３４】
これによって、アンテナ１で受信した信号が減衰されて混合器１３で合成されてチューナ１４に入力されることになる。その結果、図４では、相関出力ＣＯＲＲのピークレベルが上がった場合を示している（図４（ｃ）参照）。この場合は、アンテナ１で受信している信号を減衰させれば相関出力ＣＯＲＲのレベルが上がり、受信条件が良くなると判定され、続いてタイミング信号（ＦＦＴ−ＷＩＮＤＯＷ）が高電位になるタイミングで一旦減衰量制御信号ＣＯＮＴ１のレベルを最大に戻し（図４（ｂ）参照）、図４において矢印で示すようにそれ以降、タイミング信号（ＦＦＴ−ＷＩＮＤＯＷ）が低電位の区間で減衰量制御信号ＣＯＮＴ１のレベルが最小になるまで順次階段的に変化させる（図４（ｂ）参照）。
【００３５】
図５の場合において初期状態は図４の場合と同じであるが、タイミング信号（ＦＦＴ−ＷＩＮＤＯＷ）が低電位になる区間（図５（ａ）参照）で、減衰量制御信号ＣＯＮＴ１のレベルを最小にし（図５（ｂ）参照）、可変減衰器９の減衰量を最大にしたことにより相関出力ＣＯＲＲのピークレベルが下がった場合を示している（図５（ｃ）参照）。この場合は、アンテナ１で受信している信号を混合器１３において合成したことによって混合器１３の出力信号のレベルが減少し、相関出力ＣＯＲＲのピークレベルが低下したと考えられて、受信条件が悪くなったと判定されるので、タイミング信号（ＦＦＴ−ＷＩＮＤＯＷ）が高電位になるタイミングで減衰量制御信号ＣＯＮＴ１のレベルを最大に戻す（図５（ｂ）参照）。
【００３６】
上記図４に示した場合のように、可変減衰器９の減衰量が０となっている状態におけるガードインターバル区間に対応した期間において可変減衰器９の減衰量を最大にしたとき、次のガードインターバル期間に相関出力ＣＯＲＲのピークレベルがその前のガードインターバル区間に対応した期間における相関出力のピークレベルよりも増加しているときは、前記次のガードインターバル区間に対応する期間に続くガードインターバル区間に対応した期間に可変減衰器９の減衰量を０にし、すなわち元に復元し、続くガードインターバル区間に対応した期間において順次可変減衰器９の減衰量を最大にまで階段的に増大させていく。これによって安定して受信可能な減衰量に設定することができることになる。
【００３７】
また、上記図５に示した場合のように、可変減衰器９の減衰量が０となっている状態におけるガードインターバル区間に対応した期間において可変減衰器９の減衰量を最大にしたとき、次のガードインターバル区間に対応した期間における相関出力ＣＯＲＲのピークレベルがその前のガードインターバル区間に対応した期間における相関出力のピークレベルよりも減少しているときは、可変減衰器９の減衰量を最大にしたときに続くガードインターバル区間に対応した期間から可変減衰器９の減衰量を０にする、すなわち元に復元する。これによって安定して受信可能な減衰量に設定することができることになる。
【００３８】
このようにして、１以上の可変減衰器の減衰量を０に維持した状態で、可変減衰器９、１０、１１、１２の減衰量を順次制御して、チューナ１４に入力される信号レベルを最大に保つように制御する。
【００３９】
上記したように可変減衰器の減衰量を制御して、信号レベルの検出に相関出力ＣＯＲＲのピークレベルを参照するようにしたため、ノイズ成分の影響を受けにくくなって、安定したダイバーシティ受信が行える。
【００４０】
次に、ＡＦＣ回路２４の作用について図６のタイミング図に基づいて説明する。図６（ａ）はタイミング信号（ＦＦＴ−ＷＩＮＤＯＷ）を示し、低電位区間がガードインターバル区間に対応した期間を示し、高電位区間が有効シンボル区間に対応した期間を示している。
【００４１】
図６の例ではダイバーシティ制御回路２２の制御の下に、可変減衰器９における減衰量がｎ番目のガードインターバル区間において最大値から０に制御され（図６（ｂ）参照）、可変減衰器１０における減衰量が図示の区間において０に維持され（図６（ｃ）参照）、可変減衰器１１および１２における減衰量が図示の区間において最大に維持されて（図６（ｄ）参照および図６（ｅ）参照）、１以上の可変減衰器の減衰量を０に維持した状態になっている。
【００４２】
図６（ｆ）は、直交検波器１６から出力されたベースバンドＩ、Ｑ信号を模式的に示し、図６（ｆ）において実線の斜線部および破線の斜線部は図６（ａ）に示すガードインターバル区間に対応している。図６（ｇ）はガード相関器２０においてガード相関を求めるために有効シンボル期間遅延させたベースバンドＩ、Ｑ信号を模式的に示し、図６（ｇ）において実線の斜線部および破線の斜線部はガードインターバル区間に対応し、実線の斜線は図６（ｆ）における実線の斜線部に対応している。しかるにガード相関器２０から出力される相関出力ＣＯＲＲは、有効シンボル区間の最後の所定長部分が有効シンボル期間の先頭に複写されてガードインターバルとされているため、図６（ｈ）に示す如くになる。
【００４３】
図６（ｈ）から明らかなように、可変減衰器９の減衰量が最大値から０に制御された期間をガード相関器２０で積分する時間幅に含む期間において、相関出力ＣＯＲＲも悪影響を受ける。この悪影響を受けた相関出力ＣＯＲＲのピークに基づいてＡＦＣを行うと、ＡＦＣにも悪影響を与えてＡＦＣの精度が低下する。
【００４４】
ＡＦＣに悪影響を与える期間は、ｎ番目のガードインターバル期間において可変減衰器９の減衰量が最大値から０に制御されたとき、ｎ番目のシンボル区間の先頭付近と（ｎ＋１）番目のシンボル区間の先頭付近、すなわち可変減衰器９の減衰量が最大値から０に制御された期間をガード相関器２０で積分する時間幅に含む期間であり、これは図６（ｈ）において区間ａと区間ｂで示した区間であるある。
【００４５】
したがって、ダイバーシティ制御回路２２から出力される可変減衰器９の減衰量を最大値から０にする信号発生時から、可変減衰器９の減衰量を最大値から０にしたことによる影響がなくなるまでの期間、すなわち可変減衰器９の減衰量を最大値から０にした時から２ＯＦＤＭ伝送シンボル期間終了時までの期間（図６（ｈ）における期間ｃ）、スイッチ手段２９がオフ状態に、スイッチ手段３０がオン状態に、ダイバーシティ制御回路２２からの出力によって制御される。
【００４６】
この結果、この期間の間はガード相関器２０から出力される相関出力ＣＯＲＲと増幅器２６の出力との加算出力はＡＦＣに使用されず、遅延器２７により遅延された出力、すなわち可変減衰器９の減衰量を最大値から０にしたときに相関出力ＣＯＲＲに保持されている出力によってＡＦＣが行われることになって、ＡＦＣの精度が悪化するなどの悪影響は避けられる。
【００４７】
なお、可変減衰器９の減衰量を最大値から０にした場合を例示したが、可変減衰器９の減衰量を０から最大値にした場合も同様であり、可変減衰器１０、１１、１２の場合であっても同様である。また、図２および図４に示す階段状に減衰量を制御しているときは、各階段のステップに対応する減衰量の変化が小さいため、ダイバーシティ制御回路２２からＡＦＣ回路２４に対してスイッチ手段２９および３０を制御する制御信号は出力されない。
【００４８】
上記のように、ダイバーシティ受信機Ａによるときは、可変減衰器９の減衰量を最大値から０にしたことによる影響がなくなるまでの期間、すなわち可変減衰器９の減衰量を最大値から０にした時から２ＯＦＤＭ伝送シンボル期間終了時までの期間、相関出力を受けて受信ＯＦＤＭ変調波の周波数と送信ＯＦＤＭ変調波の周波数とのずれを補正するための自動周波数補正信号を、減衰量の急変直前の値に保持するようにしたため、ＡＦＣ動作に悪影響を与えることなく、安定したダイバーシティ受信が行えることになる。
【００４９】
また、上記において、可変減衰器９の減衰量を最大値から０にした時から２ＯＦＤＭ伝送シンボル期間終了時までの期間、スイッチ手段２９がオフ状態に、スイッチ手段３０がオン状態に、ダイバーシティ制御回路２２からの出力によって制御する場合について説明したが、可変減衰器９の減衰量を最大値から０にした時から１ＯＦＤＭ伝送シンボル期間終了時までの期間、スイッチ手段２９がオフ状態に、スイッチ手段３０がオン状態に、ダイバーシティ制御回路２２からの出力によって制御するようにしても、上記した悪影響は殆ど軽減される。
【００５０】
また、ダイバーシティ受信機Ａにおいて、相関検出器２０からの相関出力ＣＯＲＲおよびダイバーシティ制御回路２２からの出力によるＡＦＣ回路２４の制御はそのままにして、直交検波器１６から出力されるベースバンドＩ、Ｑ信号を受けてベースバンド信号のガードインターバル区間に対応した期間の電力を検出する電力検出器を新たに設けて、電力検出器にて検出された電力信号ＲＸ−ＰＯＷＥＲを相関出力ＣＯＲＲに代わってダイバーシティ制御回路２２の供給して、電力信号ＲＸ−ＰＯＷＥＲに基づいて減衰量制御信号ＣＯＮＴ１、２、３、４を生成するようにしてもよく、このようにしたときも、ダイバーシティ受信機Ａの場合と同様の効果を得ることができる。
【００５１】
【発明の効果】
以上説明したように本発明にかかるダイバーシティ受信機によれば、ＡＦＣ動作に悪影響を与えることなく、アンテナの実質的な選択の信頼性が向して、安定したダイバーシティ受信をすることができる。
【図面の簡単な説明】
【図１】本発明の実施の一形態にかかるダイバーシティ受信機の構成を示すブロック図である。
【図２】本発明の実施の一形態にかかるダイバーシティ受信機の作用の説明に供するタイミング図である。
【図３】本発明の実施の一形態にかかるダイバーシティ受信機の作用の説明に供するタイミング図である。
【図４】本発明の実施の一形態にかかるダイバーシティ受信機の作用の説明に供するタイミング図である。
【図５】本発明の実施の一形態にかかるダイバーシティ受信機の作用の説明に供するタイミング図である。
【図６】本発明の実施の一形態にかかるダイバーシティ受信機の作用の説明に供するタイミング図である。
【符号の説明】
Ａ  ダイバーシティ受信機
９〜１２  可変減衰器
１３  混合器
１４  チューナ
１５  ＡＤ変換器
１６  直交検波器
１７  有効シンボル抽出回路
１８  ＦＦＴ回路
２０  ガード相関器
２１  タイミング再生回路
２２  ダイバーシティ制御回路
２４  ＡＦＣ回路
２５  加算器
２７  遅延器
２９および３０  スイッチ手段
【図１】
0003767690.tif 000002
【図２】
0003767690.tif 000003
【図３】
0003767690.tif 000004
【図４】
0003767690.tif 000005
【図５】
0003767690.tif 000006
【図６】
0003767690.tif 000007